(57)【特許請求の範囲】
【請求項１】
平面図情報を含む邸別住宅設計ＣＡＤデータから得られる部材データのうち不具合が発生する部材を予測する邸別不具合情報予測支援装置であって、
部材情報に当該部材の設置階または設置位置を含む部位に関する情報を組み合わせた不具合情報ごとに設定される不具合検索条件情報を記憶した不具合検索条件情報記憶手段と、
前記邸別住宅設計ＣＡＤデータから部位別に得られる部材データを取得し、該取得した部材データと前記不具合検索条件情報記憶手段に記憶された不具合検索条件情報とを照合して一致した前記部材データに対する不具合情報を邸別不具合情報として抽出する邸別不具合情報抽出手段と、
邸別の住宅設計ＣＡＤデータから該邸別住宅の平面図に対応する生産図を作成する生産図作成手段と、
前記邸別不具合情報に含まれる設置階または設置位置を用いて前記生産図作成手段により作成された生産図に不具合が予測される部材の設置箇所を表示する不具合部材表示手段と、
前記不具合部材表示手段により表示された不具合が予測される部材に対して修正入力を行う不具合部材修正入力手段と、
を有することを特徴とする邸別不具合情報予測支援装置。
【請求項２】
前記不具合検索条件情報記憶手段に記憶される不具合検索条件情報のそれぞれの不具合情報には不具合コード情報を付与されており、
さらに、前記邸別不具合情報予測支援装置は、
前記不具合情報ごとに不具合コードを付与して設定される不具合詳細情報を記憶した不具合詳細情報記憶手段と、
前記邸別不具合情報抽出手段により抽出された邸別不具合情報と前記不具合詳細情報記憶手段に記憶された不具合詳細情報とから前記不具合コードに関連付けられた不具合詳細情報を邸別不具合詳細情報として抽出する邸別不具合詳細情報抽出手段と、
前記邸別不具合詳細情報を邸別不具合情報ごとに出力する邸別不具合詳細情報出力手段と、
を有することを特徴とする請求項１に記載の邸別不具合情報予測支援装置。
【請求項３】
コンピュータを使用して、平面図情報を含む邸別住宅設計ＣＡＤデータから得られる部材データのうち不具合が発生する部材を予測する邸別不具合情報予測支援方法であって、
前記コンピュータが、前記邸別住宅設計ＣＡＤデータから部位別に得られる部材データを取得し、該取得した部材データと部材情報に当該部材の設置階または設置位置を含む部位に関する情報を組み合わせた不具合情報ごとに設定される不具合検索条件情報とを照合して一致した前記部材データに対する邸別不具合情報を抽出するステップと、
前記コンピュータが、前記邸別住宅設計ＣＡＤデータから該邸別住宅の平面図に対応する生産図を作成するステップと、
前記コンピュータが、前記邸別不具合情報に含まれる設置階または設置位置を用いて前記生産図に不具合が予測される部材の設置箇所を表示するステップと、
前記コンピュータが、前記生産図に表示された不具合が予測される部材に対して修正入力を行うステップと、
を含むことを特徴とする邸別不具合情報予測支援方法。
【請求項４】
前記抽出するステップにおける不具合検索条件情報のそれぞれの不具合情報には不具合コード情報を付与されており、
さらに、
前記コンピュータが、前記邸別不具合情報と前記不具合コードを付与して不具合情報ごとに設定される不具合詳細情報とから前記不具合コードに関連付けられた邸別不具合詳細情報を抽出するステップと、
前記コンピュータが、前記邸別不具合詳細情報を邸別不具合情報ごとに出力するステップと、
を含むことを特徴とする請求項３に記載の邸別不具合情報予測支援方法。
【請求項５】
平面図情報を含む邸別住宅設計ＣＡＤデータから得られる部材データのうち不具合が発生する部材を予測する邸別不具合情報予測支援プログラムであって、
コンピュータを、
前記邸別住宅設計ＣＡＤデータから部位別に得られる部材データを取得し、該取得した部材データと部材情報に当該部材の設置階または設置位置を含む部位に関する情報を組み合わせた不具合情報ごとに設定される不具合検索条件情報とを照合して一致した前記部材データに対する邸別不具合情報を抽出する邸別不具合情報抽出手段、
邸別の住宅設計ＣＡＤデータから該邸別住宅の平面図に対応する生産図を作成する生産図作成手段、
前記邸別不具合情報に含まれる設置階または設置位置を用いて前記生産図作成手段により作成された生産図に不具合が予測される部材の設置箇所を表示する不具合部材表示手段、
前記生産図に表示された不具合が予測される部材に対して修正入力を行う不具合部材修正入力手段、
として機能させることを特徴とする邸別不具合情報予測支援プログラム。
【請求項６】
前記不具合検索条件情報のそれぞれの不具合情報には不具合コード情報を付与されており、
さらに、
前記邸別不具合情報と前記不具合コードを付与して不具合情報ごとに設定される不具合詳細情報とから前記不具合コードに関連付けられた不具合詳細情報を邸別不具合詳細情報として抽出する邸別不具合詳細情報抽出手段、
邸別不具合詳細情報を邸別不具合情報ごとに出力する邸別不具合詳細情報出力手段、
として機能させることを特徴とする請求項５に記載の邸別不具合情報予測支援プログラム。
【発明の詳細な説明】
【技術分野】
【０００１】
本発明は、平面図情報を含む邸別住宅設計ＣＡＤ（Computer Aided Design;コンピュータによる支援設計製図）データから得られる部位・部材データのうち、そのまま使用してしまうと不具合が発生する可能性のある部位・部材を予測するための邸別不具合情報予測支援装置、邸別不具合情報予測支援方法及び邸別不具合情報予測支援プログラムに関するものである。
【背景技術】
【０００２】
従来、住宅設計ＣＡＤにおいて発生し蓄積された不具合項目の設計者への提示方法としては、例えば、蓄積された不具合項目を紙にて一覧化しリストにして設計者へ提示することが行われている。
【０００３】
しかし、設計者の業務の実態を考慮すると、部材配置や部材仕様や施工図からなる生産図作成業務は物件（邸）ごとに行なわれており、かつ戸建住宅を主力商品とする実態に合わせると、戸建住宅の場合、物件ごとに使用される部位・部材にはばらつきがあり、例えば２階屋根材といってもＡ邸にはベランダがあり、屋上へ上がる外階段がありフラット屋根であるが、Ｂ邸にはそれらは無く、反対に屋根は勾配屋根で、中庭がありテラスがある等、表現が同じ部位、部材であっても邸別に部材配置や部材仕様や施工図が異なることが一般である。
【０００４】
邸ごとに使用される部位・部材が異なるということは当然ながら、住宅設計ＣＡＤで発生し、蓄積された不具合項目のうち、Ａ邸に該当する不具合項目と、Ｂ邸に該当する不具合項目も異なってくる。
【０００５】
上記を踏まえると、蓄積された沢山の不具合項目の単なる一覧では、その中から、当該邸に該当する不具合項目を人が目視で検索し、該当した不具合項目について生産図の内容の補正を行なうといった作業フローになり、非効率的である。
【０００６】
例えば、特開２００３−０２２２８７号公報（特許文献１）には、開発工程において製品の設計仕様にあった必要なチェック項目のみを抽出することができる設計レビュー支援装置が提案されている。
【０００７】
【特許文献１】特開２００３−０２２２８７号公報
【発明の開示】
【発明が解決しようとする課題】
【０００８】
しかしながら、特許文献１の技術では、物件ごとに使用される部位・部材にばらつきがある戸建住宅の邸別ごとの不具合箇所のチェックに適用することが極めて困難であり、不具合箇所のチェック作業を効率化する方策としては、既にある不具合項目の一覧の中から、各邸に該当する不具合項目のみを予め提示することが必要になるという問題があった。
【０００９】
本発明は前記課題を解決するものであり、その目的とするところは、設計者が作成する邸ごとの生産図作成業務において、生産図出力と同時に、予測される各邸に該当し、発生する可能性のある不具合項目を予め機械的に抽出し、さらには抽出された不具合項目に不具合対処方法などを追加して出力する機能を有する邸別不具合情報予測支援装置、邸別不具合情報予測支援方法及び邸別不具合情報予測支援プログラムを提供せんとするものである。
【課題を解決するための手段】
【００１０】
前記目的を達成するための本発明に係る邸別不具合情報予測支援装置の第１の構成は、平面図情報を含む邸別住宅設計ＣＡＤデータから得られる部材データのうち不具合が発生する部材を予測する邸別不具合情報予測支援装置であって、部材情報に当該部材の設置階または設置位置を含む部位に関する情報を組み合わせた不具合情報ごとに設定される不具合検索条件情報を記憶した不具合検索条件情報記憶手段と、前記邸別住宅設計ＣＡＤデータから部位別に得られる部材データを取得し、該取得した部材データと前記不具合検索条件情報記憶手段に記憶された不具合検索条件情報とを照合して一致した前記部材データに対する不具合情報を邸別不具合情報として抽出する邸別不具合情報抽出手段と、邸別の住宅設計ＣＡＤデータから該邸別住宅の平面図に対応する生産図を作成する生産図作成手段と、前記邸別不具合情報に含まれる設置階または設置位置を用いて前記生産図作成手段により作成された生産図に不具合が予測される部材の設置箇所を表示する不具合部材表示手段と、前記不具合部材表示手段により表示された不具合が予測される部材に対して修正入力を行う不具合部材修正入力手段とを有することを特徴とする。
【００１１】
また、本発明に係る邸別不具合情報予測支援装置の第２の構成は、前記第１の構成において、前記不具合検索条件情報記憶手段に記憶される不具合検索条件情報のそれぞれの不具合情報には不具合コード情報を付与されており、さらに、前記邸別不具合情報予測支援装置は、前記不具合情報ごとに不具合コードを付与して設定される不具合詳細情報を記憶した不具合詳細情報記憶手段と、前記邸別不具合情報抽出手段により抽出された邸別不具合情報と前記不具合詳細情報記憶手段に記憶された不具合詳細情報とから前記不具合コードに関連付けられた不具合詳細情報を邸別不具合詳細情報として抽出する邸別不具合詳細情報抽出手段と、前記邸別不具合詳細情報を邸別不具合情報ごとに出力する邸別不具合詳細情報出力手段とを有することを特徴とする。
【００１２】
また、本発明に係る邸別不具合情報予測支援方法の第１の構成は、コンピュータを使用して、平面図情報を含む邸別住宅設計ＣＡＤデータから得られる部材データのうち不具合が発生する部材を予測する邸別不具合情報予測支援方法であって、前記コンピュータが、前記邸別住宅設計ＣＡＤデータから部位別に得られる部材データを取得し、該取得した部材データと部材情報に当該部材の設置階または設置位置を含む部位に関する情報を組み合わせた不具合情報ごとに設定される不具合検索条件情報とを照合して一致した前記部材データに対する邸別不具合情報を抽出するステップと、前記コンピュータが、前記邸別住宅設計ＣＡＤデータから該邸別住宅の平面図に対応する生産図を作成するステップと、前記コンピュータが、前記邸別不具合情報に含まれる設置階または設置位置を用いて前記生産図に不具合が予測される部材の設置箇所を表示するステップと、前記コンピュータが、前記生産図に表示された不具合が予測される部材に対して修正入力を行うステップとを含むことを特徴とする。
【００１３】
また、本発明に係る邸別不具合情報予測支援方法の第２の構成は、前記第１の構成において、前記抽出するステップにおける不具合検索条件情報のそれぞれの不具合情報には不具合コード情報を付与されており、さらに、前記コンピュータが、前記邸別不具合情報と前記不具合コードを付与して不具合情報ごとに設定される不具合詳細情報とから前記不具合コードに関連付けられた邸別不具合詳細情報を抽出するステップと、前記コンピュータが、前記邸別不具合詳細情報を邸別不具合情報ごとに出力するステップとを含むことを特徴とする。
【００１４】
また、本発明に係る邸別不具合情報予測支援プログラムの第１の構成は、平面図情報を含む邸別住宅設計ＣＡＤデータから得られる部材データのうち不具合が発生する部材を予測する邸別不具合情報予測支援プログラムであって、コンピュータを、前記邸別住宅設計ＣＡＤデータから部位別に得られる部材データを取得し、該取得した部材データと部材情報に当該部材の設置階または設置位置を含む部位に関する情報を組み合わせた不具合情報ごとに設定される不具合検索条件情報とを照合して一致した前記部材データに対する邸別不具合情報を抽出する邸別不具合情報抽出手段、邸別の住宅設計ＣＡＤデータから該邸別住宅の平面図に対応する生産図を作成する生産図作成手段、前記邸別不具合情報に含まれる設置階または設置位置を用いて前記生産図作成手段により作成された生産図に不具合が予測される部材の設置箇所を表示する不具合部材表示手段、前記生産図に表示された不具合が予測される部材に対して修正入力を行う不具合部材修正入力手段として機能させることを特徴とする。また、本発明に係る邸別不具合情報予測支援プログラムの第２の構成は、前記第１の構成において、前記不具合検索条件情報のそれぞれの不具合情報には不具合コード情報を付与されており、さらに、前記邸別不具合情報と前記不具合コードを付与して不具合情報ごとに設定される不具合詳細情報とから前記不具合コードに関連付けられた不具合詳細情報を邸別不具合詳細情報として抽出する邸別不具合詳細情報抽出手段、邸別不具合詳細情報を邸別不具合情報ごとに出力する邸別不具合詳細情報出力手段、として機能させることを特徴とする。
【発明の効果】
【００１５】
本発明に係る邸別不具合情報予測支援装置の第１実施形態によれば、不具合抽出用記憶手段に蓄積された部位・部材に対する不具合検索条件情報を使用して、邸別不具合情報抽出手段により各邸に該当し、発生する可能性のある不具合情報に絞り込まれた邸別不具合情報が邸別不具合情報出力手段により出力されるため、設計者は本邸別不具合情報予測支援装置が保有する沢山の不具合リストの全ての項目から、当該邸に該当する項目を目視で検索し選別するという作業が不要になる。
【００１６】
また、邸別のＣＡＤデータ内に入力・格納された情報との照合、検索を行なうため、当該邸に不要な項目が出力されない。即ち、ベランダの無い邸にベランダに関する不具合項目は出力不要なので出力しない、屋上の無い邸に屋上に関する不具合項目は出力不要なので出力しない等の効率化が図れる。
【００１７】
また、本発明に係る邸別不具合情報予測支援装置の第２実施形態によれば、不具合検索条件情報および不具合詳細情報に互いに対応させて不具合コードを付与して、不具合詳細情報記憶手段に蓄積した現在保有する不具合詳細情報を邸別不具合詳細情報に盛り込めるので、設計者は不具合の内容や、対処方法を容易に把握できる。また、不具合詳細情報は邸別住宅設計ＣＡＤの処理プログラム内に内包されない構造となっているため、プログラムとは無関係に不具合詳細情報を随時メンテナンスが可能である。その結果、設計者により新しい不具合詳細情報を提供できる。
【００１８】
また、本発明に係る邸別不具合情報予測支援装置の第３実施形態によれば、本邸別不具合情報予測支援装置に追従する不具合項目の項目数は一般的には日々増加するので、それに伴い、不具合検索条件情報もメンテナンスする必要があり、本発明では、不具合検索条件情報入力手段により新たに不具合となった部位・部材データを基に不具合抽出用記憶手段に不具合検索条件情報を追加入力することが出来るため、設計者に常に最新の不具合項目、ならびに不具合検索条件情報を提供することが出来る。
【００１９】
また、本発明に係る邸別不具合情報予測支援装置の第４実施形態によれば、情報追加手段により不具合検索条件情報と不具合詳細情報とを同一の不具合コードに関連付けて追加することが出来るので、日々増加する不具合項目や、これに伴い、不具合検索条件情報および不具合詳細情報もメンテナンスできる。本発明では、不具合検索条件情報入力手段により新たに不具合となった部位・部材データを基に不具合抽出用記憶手段に不具合検索条件情報、不具合詳細情報記憶手段に不具合詳細情報を追加入力することが出来るため、設計者に常に最新の不具合項目、ならびに不具合検索条件情報と不具合詳細情報を提供することが出来る。
【００２０】
また、不具合詳細情報は邸別住宅設計ＣＡＤの処理プログラム内に内包されない構造となっているため、プログラムとは無関係に不具合詳細情報を随時システム障害発生の心配することなく追加入力が可能である。
【００２１】
また、本発明に係る邸別不具合情報予測支援装置の第５実施形態によれば、前記不具合検索条件情報を所定の入力基準に基づいて新規な項目として自動追加生成できるので、邸別に住宅を設計するにあたり邸別住宅設計ＣＡＤデータにある不具合となる可能性のある部位・部材の組合せを優先して抽出できる。その結果、設計者は本邸別不具合情報予測支援装置が保有する不具合リストにない新しい不具合の部位・部材を早期に発見できる。
【発明を実施するための最良の形態】
【００２２】
図により本発明に係る邸別不具合情報予測支援装置の一実施形態を具体的に説明する。図１は邸別住宅設計ＣＡＤの構成、および本発明に係る邸別不具合情報予測支援装置の制御系の構成を有する全体システムを示すブロック図、図２は本発明に係る邸別不具合情報予測支援装置におけるデータ処理の様子を説明するフローチャート、図３は不具合抽出用記憶手段のデータ構造を説明する図、図４は邸別住宅設計ＣＡＤデータ内で検索処理を行う様子を説明する図、図５は邸別不具合情報抽出手段により抽出された邸別不具合情報の一例を示す図、図６は不具合詳細情報記憶手段に記憶された不具合詳細情報の一例を示す図、図７は邸別不具合詳細情報出力手段により出力された邸別不具合詳細情報の一例を示す図、図８は邸別住宅設計ＣＡＤデータの平面図情報の一例を示す図、図９（ａ）は本発明に係る邸別不具合情報予測支援装置により不具合が予測された箇所を表示した補正前の邸別住宅設計ＣＡＤデータの生産図、図９（ｂ）は本発明に係る邸別不具合情報予測支援装置により不具合が予測された箇所を補正した後の邸別住宅設計ＣＡＤデータの生産図である。
【００２３】
先ず、図１を用いて本発明が支援する邸別住宅設計ＣＡＤ31についてその使用方法を説明する。(1)営業所において、客の要望をもとに、邸別平面図をコンピュータに入力する。(2)この邸別平面図データをネットワークを介してＣＡＤサーバ装置２に転送する。(3)ＣＡＤサーバ装置２では、邸別平面図データから邸別住宅設計ＣＡＤデータを生成し、 邸別住宅設計ＣＡＤデータＤＢ３に格納する。(4)ここで、邸別の設計者が邸別住宅設計ＣＡＤデータを邸別住宅設計ＣＡＤデータＤＢ３から取り出して生産図として出力し、出力された生産図から不具合発生を抽出する。(5)設計者は、生産図の修正入力部から不具合を修正入力し、正しい生産図にし、邸別の生産図を出力する。(6)正しい生産図は、邸別住宅設計ＣＡＤデータＤＢ３にフィードバックされ、邸別住宅設計ＣＡＤデータも修正される。
【００２４】
本発明の邸別不具合予測支援装置１は、上記の不具合抽出作業、ならびに不具合への対処作業の効率をあげるための支援装置１で、設計者は該支援装置１から出力される邸別不具合リストあるいは邸別不具合詳細リスト20を参照して、本当に不具合かどうかを確認しながら生産図の修正入力部から修正入力する。
【００２５】
図１において、１は平面図情報を含む図４及び図８に示す邸別住宅設計ＣＡＤ（Computer Aided Design;コンピュータによる支援設計製図）データ16から得られる部位・部材データのうち不具合が発生する部位・部材を予測するための邸別不具合予測支援装置（邸別不具合情報予測支援装置）である。本実施形態では、ＣＡＤサーバ装置２から送信された図４及び図８に示される邸別住宅設計ＣＡＤデータ16が邸別住宅設計ＣＡＤデータ記憶手段となる邸別住宅設計ＣＡＤデータデータベース（以下、「邸別住宅設計ＣＡＤデータＤＢ」という）３に記憶して格納される。
【００２６】
４は本邸別不具合予測支援装置１が現在保有する部位・部材に対する不具合検索条件情報を蓄積した不具合抽出用記憶手段となる不具合抽出用データベース（以下、「不具合抽出用ＤＢ」という）である。
【００２７】
５は検索・判定条件処理部であり、該検索・判定条件処理部５に設けられた邸別不具合情報抽出手段となる邸別不具合情報抽出部５ａにより邸別住宅設計ＣＡＤデータＤＢ３に格納された邸別住宅設計ＣＡＤデータ16から部位・部材別に得られる部位・部材データを取得し、該取得した部位・部材ごとに存在する該部位・部材データ内に含まれるデータ（図４参照）と、不具合抽出用記憶手段となる不具合抽出用ＤＢ４に記憶された部位・部材ごとの不具合検索条件情報（図３参照）とを照合して一致した部位・部材に対する邸別不具合情報12を抽出する（図５参照）。
【００２８】
６は邸別不具合情報抽出部５ａにより抽出された邸別不具合情報12（図５参照）を記憶する邸別不具合情報記憶手段となる邸別不具合情報データベース（以下、「邸別不具合情報ＤＢ」という）である。
【００２９】
コンピュータのディスプレイ等の表示手段７ａやプリンタ７ｂ等の記録手段により、邸別不具合情報記憶手段となる邸別不具合情報ＤＢ６に記憶された邸別不具合情報12（図５参照）を出力する邸別不具合情報出力手段が構成される。
【００３０】
不具合抽出用記憶手段となる不具合抽出用ＤＢ４には、図３に示すように、邸別不具合予測支援装置１が現在保有する部位・部材に対する不具合検索条件情報８のそれぞれに不具合コード10を付与して蓄積されている。
【００３１】
９は図６に示すように、現在保有する不具合詳細情報11を、図３に示す不具合検索条件情報８に付与されたと同一の不具合コード10を付与して蓄積した不具合詳細情報記憶手段となる不具合詳細情報データベース（以下、「不具合詳細情報ＤＢ」という）である。
【００３２】
５ｂは邸別不具合詳細情報抽出手段となる邸別不具合詳細情報抽出部であり、邸別不具合情報記憶手段となる邸別不具合情報ＤＢ６に記憶された図５に示す邸別不具合情報12と、不具合詳細情報記憶手段となる不具合詳細情報ＤＢ９に蓄積された図６に示す現在保有する不具合詳細情報11と、から図７に示す同一の不具合コード10に関連付けられた邸別不具合詳細情報13を抽出する。
【００３３】
14は邸別不具合詳細情報抽出手段となる邸別不具合詳細情報抽出部５ｂにより抽出された図７に示す邸別不具合詳細情報13を記憶する邸別不具合詳細情報記憶手段となる邸別不具合詳細情報データベース（以下、「邸別不具合詳細情報ＤＢ」という）である。
【００３４】
そして、表示手段７ａやプリンタ７ｂにより邸別不具合詳細情報ＤＢ14に記憶された邸別不具合詳細情報13を出力する邸別不具合詳細情報出力手段が構成される。
【００３５】
情報追加部17において、15は不具合検索条件情報入力手段となる不具合検索条件情報入力部であり、邸別住宅設計ＣＡＤデータＤＢ３に格納された平面図情報を含む図４及び図８に示す邸別住宅設計ＣＡＤデータ16から得られる部位・部材データにおいて、不具合抽出用記憶手段となる不具合抽出用ＤＢ４に図３に示す不具合検索条件情報８が記憶されていない部位・部材のうち新たに不具合となった部位・部材データをもとに該不具合抽出用ＤＢ４に新たな不具合検索条件情報８を追加入力する。
【００３６】
17は情報追加手段となる情報追加部であり、不具合検索条件情報入力手段となる不具合検索条件情報入力部15と、不具合詳細情報記憶手段となる不具合詳細情報ＤＢ９に図６に示す不具合詳細情報11を入力する不具合詳細情報入力手段となる不具合詳細情報入力部18と、から不具合抽出用記憶手段となる不具合抽出用ＤＢ４と、不具合詳細情報記憶手段となる不具合詳細情報ＤＢ９とに、それぞれ図３に示す不具合検索条件情報８と、図６に示す不具合詳細情報11とを同一の不具合コード10に関連付けて追加する。
【００３７】
例えば、図４に示す邸別住宅設計ＣＡＤデータ16から作成された生産図に新たな不具合が発生した場合には、不具合検索条件情報入力部15により不具合抽出用ＤＢ４に新たな不具合検索条件情報８を新たな不具合コード10に関連付けて追加入力すると共に、情報追加部17により不具合詳細情報ＤＢ９に前記新たな不具合コード10に関連付けて新たな不具合詳細情報11を追加入力することで、不具合抽出用ＤＢ４、不具合詳細情報ＤＢ９にそれぞれ格納された不具合検索条件情報８及び不具合詳細情報11を最新状態に維持することが出来る。
【００３８】
図２は本発明に係る邸別不具合情報予測支援装置におけるデータ処理の様子を説明する図である。図２のステップＳ１において、検索・判定条件処理部５は不具合抽出用ＤＢ４から図３に示す不具合検索条件情報８の読込みを行う。次にステップＳ２において、邸別住宅設計ＣＡＤデータＤＢ３から図４に示す邸別住宅設計ＣＡＤデータ16の読込みを行う。
【００３９】
次にステップＳ３において、不具合検索条件情報８と邸別住宅設計ＣＡＤデータ16との間で一致するデータがあるか否かを検索し、両者間で一致するデータがあればステップＳ４に進み、邸別の不具合コード10を抽出して保持し、図５に示す邸別不具合情報12を作成する。図３及び図４では、「１階；玄関ドア；品番＝DFHS-16SRMMGG」の不具合検索条件情報８ａと邸別住宅設計ＣＡＤデータ16ａが一致し、更に「２階；壁面部；サッシ本体；サッシ呼称＝腰高出窓」の不具合検索条件情報８ｂと邸別住宅設計ＣＡＤデータ16ｂが一致した様子を示す。前記ステップＳ３において不具合検索条件情報８と邸別住宅設計ＣＡＤデータ16との間で一致するデータがあるまでステップＳ１〜Ｓ３を繰り返す。
【００４０】
次にステップＳ５において、検索・判定条件処理部５は不具合詳細情報ＤＢ９から図６に示す不具合詳細情報11の読込みを行う。次にプリンタ７ｂから出力される邸別不具合詳細リスト20の抽出処理を開始するが、先ず、ステップＳ６において、前記ステップＳ５で読み込んだ不具合詳細情報ＤＢ９から該当する項目を抽出して図６に示す不具合詳細情報11を作成し、更に図７に示す邸別不具合詳細情報13を作成して、ステップＳ７において、プリンタ７ｂにより前記ステップＳ６で抽出した図７に示す邸別不具合詳細情報13を邸別不具合詳細リスト20として印刷出力する。
【００４１】
図８は邸別住宅設計ＣＡＤデータ16の平面図情報の一例を示す図であり、図９（ａ）は邸別不具合予測支援装置１により不具合が予測された箇所を表示した補正前の邸別住宅設計ＣＡＤデータ16の生産図であり、図９（ｂ）は邸別不具合予測支援装置１により不具合が予測された箇所を補正した後の邸別住宅設計ＣＡＤデータ16の生産図である。
【００４２】
図３〜図７に示して前述したように、「１階；玄関ドア；品番＝DFHS-16SRMMGG」の不具合検索条件情報８ａと邸別住宅設計ＣＡＤデータ16ａが一致し、更に「２階；壁面部；サッシ本体；サッシ呼称＝腰高出窓」の不具合検索条件情報８ｂと邸別住宅設計ＣＡＤデータ16ｂが一致したことから、図８及び図９（ａ）では、「１階の玄関ドア」の不具合箇所21ａと、「２階壁面部の腰高出窓」の不具合箇所21ｂが表示され、図９（ａ）に示された不具合箇所21ａ，21ｂを補正して図９（ｂ）のように設計者によって訂正される。
【００４３】
一般に、多数の「部位と部材の組合せ」のうち、特定の組合せのみが不具合になる確率が高いというのが現実なので、住宅設計時に邸別住宅設計ＣＡＤデータにこの組合せが発生していたら不具合であってもなくても一端「不具合」として邸別不具合情報ＤＢ６に追加する。
【００４４】
そして、後から本当に不具合かどうかを検証確認すれば効率的である。そのために、先ず不具合抽出用ＤＢ４に、詳しくは後述する所定の基準に基づいて部位・部材の組合せとこれに対する不具合検索条件を新項目として追加しておく。
【００４５】
追加する手段は、不具合抽出用ＤＢ４に「部位・部材」のデータを新項目として追加する。この部位・部材に対する不具合検索条件は、データの存否情報の存を示す「＊」を入力し新項目にして完成させておく。
【００４６】
次に、邸別住宅設計ＣＡＤデータに当該部位・部材の組合せがあり、不具合検索条件情報に照合して一致した邸別不具合情報がなければ、不具合抽出用ＤＢ４の検索条件に「＊」があるのを確認し、邸別不具合情報に新項目として当該部位・部材と、これに対する「＊」を仮登録する。
【００４７】
邸別不具合情報および生産図を検証して、この部位・部材が本当に不具合であれば、その仮の「部位・部材の組合せ」に対する「部位・部材データ」を不具合検索条件の「＊」に代えて正しい不具合検索条件データを正式に入力し、邸別不具合情報を正しいものにする。尚、邸別不具合情報ＤＢ６ではこの仮項目が正しい新項目になる。
【００４８】
これを受けて、不具合抽出用ＤＢ４の不具合抽出情報では、新項目に加えて、同じ部位・部材に新しい不具合検索条件を追加し、別の新項目として完成させ、追加する。
【００４９】
検証して不具合でなければ、追加した邸別不具合情報ＤＢ６から仮項目の「部位・部材」のデータと不具合検索条件の「＊」とを削除する。尚、不具合抽出情報は何もしない。
【００５０】
ここで、前述した所定の基準とは、特定組合せを生成する手段として、過去このシステムを使用して発生したすべての邸の部位・部材の組合せについて「イ」＝不具合となった数（不具合抽出用ＤＢ４に蓄積されている数）、「ロ」＝不具合にならなかった数を蓄積し、{イ／（イ＋ロ）}が設定値より大となった「部位・部材」を不具合抽出用ＤＢ４の部位・部材にデータを自動で追加し、不具合検索条件に「＊」を自動生成する。これで新項目完成となる。
【００５１】
即ち、その構成は、前述の不具合抽出用記憶手段となる不具合抽出用ＤＢ４に、不具合抽出情報に蓄積されている部位・部材の組合せから所定の基準に基づいて部位・部材の組合せを抽出して、その組合せを不具合抽出情報の部位・部材に新項目として追加生成すると共に、その組合せに対する検索条件にデータの存否情報を追加生成する不具合抽出情報追加生成手段を付加したものである。
【産業上の利用可能性】
【００５２】
本発明の活用例として、平面図情報を含む邸別住宅設計ＣＡＤデータから得られる部位・部材データのうち不具合が発生する部位・部材を予測するための邸別不具合情報予測支援装置、邸別不具合情報予測支援方法及び邸別不具合情報予測支援プログラムに適用することが出来る。
【図面の簡単な説明】
【００５３】
【図１】本発明に係る邸別不具合情報予測支援装置の制御系の構成を示すブロック図である。
【図２】本発明に係る邸別不具合情報予測支援装置におけるデータ処理の様子を説明するフローチャートである。
【図３】不具合抽出用記憶手段のデータ構造を説明する図である。
【図４】邸別住宅設計ＣＡＤデータ内で検索処理を行う様子を説明する図である。
【図５】邸別不具合情報抽出手段により抽出された邸別不具合情報の一例を示す図である。
【図６】不具合詳細情報記憶手段に記憶された不具合詳細情報の一例を示す図である。
【図７】邸別不具合詳細情報出力手段により出力された邸別不具合詳細情報の一例を示す図である。
【図８】邸別住宅設計ＣＡＤデータの平面図情報の一例を示す図である。
【図９】（ａ）は本発明に係る邸別不具合情報予測支援装置により不具合が予測された箇所を表示した補正前の邸別住宅設計ＣＡＤデータの生産図、（ｂ）は本発明に係る邸別不具合情報予測支援装置により不具合が予測された箇所を補正した後の邸別住宅設計ＣＡＤデータの生産図である。
【符号の説明】
【００５４】
１…邸別不具合予測支援装置
２…ＣＡＤサーバ装置
３…邸別住宅設計ＣＡＤデータＤＢ
４…不具合抽出用ＤＢ
５…検索・判定条件処理部
５ａ…邸別不具合情報抽出部
５ｂ…邸別不具合詳細情報抽出部
６…邸別不具合情報ＤＢ
７ａ…表示手段（邸別不具合情報出力手段
邸別不具合詳細情報出力手段）
７ｂ…プリンタ（邸別不具合情報出力手段
邸別不具合詳細情報出力手段）
８，８ａ，８ｂ…不具合検索条件情報
９…不具合詳細情報ＤＢ
10，10ａ，10ｂ…不具合コード
11…不具合詳細情報
12…邸別不具合情報
13…邸別不具合詳細情報
14…邸別不具合詳細情報ＤＢ
15…不具合検索条件情報入力部
16，16ａ，16ｂ…邸別住宅設計ＣＡＤデータ
17…情報追加部
18…不具合詳細情報入力部
20…邸別不具合詳細リスト
21ａ，21ｂ…不具合箇所
31…邸別住宅設計ＣＡＤ
【図１】
0004932763.tif 000002
【図２】
0004932763.tif 000003
【図３】
0004932763.tif 000004
【図４】
0004932763.tif 000005
【図５】
0004932763.tif 000006
【図６】
0004932763.tif 000007
【図７】
0004932763.tif 000008
【図８】
0004932763.tif 000009
【図９】
0004932763.tif 000010